(57)【要約】【目的】  戸袋側が建物の壁面と面一となした化粧ボード等で覆われてなる引戸装置に関し、通常仕様の引戸装置の必要な箇所に鉛板を貼着することで放射線防御仕様として使用することができ、貼着箇所も最小限で、貼着作業が容易に行なえる引戸装置を提供する。【構成】  化粧ボードの出入り口側端部を隠蔽する中枠突部の幅寸法以上に、引戸の摺動方向で室内出入口側より室外出入口側を大きく形成すると共に、引戸の閉鎖状態で、引戸の戸尻側端部が室内側中枠の中枠突部を越えて戸尻側縦枠方向に突出し、かつ、室外側中枠の中枠突部と所定寸法重合しているものである。【選択図】     図５
2007297850.tif 000002
【特許請求の範囲】
【請求項１】
戸先側縦枠と戸尻側縦枠と上横枠より形成された門形の引戸枠が建物側の鉄骨に固定され、室内側と室外側に所定間隔を有して室内側中枠と室外側中枠が戸先側縦枠と戸尻側縦枠間に設けられ、戸尻側縦枠と室内側中枠間を室内戸袋側、戸尻側縦枠と室外側中枠間を室外戸袋側となし、戸先側縦枠と室内側中枠間を室内出入口側、戸先側縦枠と室外側中枠間を室外出入口側となし、室内外戸袋側と室内外出入口側を摺動自在で、室内外出入口側を開閉自在となす引戸を室内側中枠と室外側中枠間に配設し、室内外戸袋側の表面を建物の壁面と略面一とした化粧ボードで覆ってなる引戸装置において、化粧ボードの出入口側端部を隠蔽する中枠突部の幅寸法以上に、引戸の摺動方向で室内出入口側より室外出入口側を大きく形成すると共に、引戸の閉鎖状態で、引戸の戸尻側端部が室内側中枠の中枠突部を越えて戸尻側縦枠方向に突出し、かつ、室外側中枠の中枠突部と所定寸法重合していることを特徴とする引戸装置。
【請求項２】
引戸の摺動方向で互いの摺動側両端部が重合するよう、戸先側縦枠と引戸の室内側と室内戸袋側に、鉛板が貼着されている事を特徴とする請求項１に記載の引戸装置。
【発明の詳細な説明】
【技術分野】
【０００１】
本発明は、戸袋側が建物の壁面と面一となした化粧ボード等で覆われてなる引戸装置に関するものである。
【背景技術】
【０００２】
従来、この種の引戸装置は、建築側の鉄骨に固定される、戸先側縦枠と戸尻側縦枠と上枠より、門形の引き戸枠が形成され、戸先側縦枠と戸尻側縦枠間に、出入り方向に所定間隔を有して、中枠が設けられ、戸先側縦枠と中枠間を出入口側となし、戸尻側縦枠と中枠間を戸袋側となし、出入口側の上部に点検パネルが設けられ、戸袋側の表面が建物の壁面と面一とした化粧用ボードで覆っていた。（例えば、特許文献１参照。）
【０００３】
このため、引戸の吊り込み作業は壁面が仕上げられた後、出入口の開口部分から行なわれるので、閉鎖した引戸の戸袋側端部が戸袋内に位置する箇所、いわゆる、のみ込みしろが極力小さくなるよう引戸の寸法を設定し作業性を向上させていた。
一方、放射線を使用する部屋の引戸装置として使用される場合は、引戸はもとより、戸先側縦枠、中枠、戸袋内等にも鉛板が貼着されるが、特に中枠内に鉛板を貼着する作業に手間がかかるだけでなくで、引戸のみ込みしろが小さいと、放射線が出入口部側で室外に漏れる恐れがあった。
すなわち、上記通常仕様の引戸装置に鉛板を貼着して放射線防御タイプの引戸装置として使用することは、基本的には困難であった。
【０００４】
【特許文献１】特許第３４７４７７７号公報
【発明の開示】
【発明が解決しようとする課題】
【０００５】
本発明は、従来の問題点に鑑みて、通常仕様の引戸装置であっても、簡単に鉛板を貼着することで放射線防御タイプの引戸装置として使用することが出きるだけでなく、鉛板の貼着箇所も最小限で、しかも、貼着作業が容易に行なえる引戸装置を提供する事を課題とする。
【課題を解決するための手段】
【０００６】
そこで、上記課題を解決する為、本発明が第１の手段として構成したところは、戸先側縦枠と戸尻側縦枠と上横枠より形成された門形の引戸枠が建物側の鉄骨に固定され、室内側と室外側に所定間隔を有して室内側中枠と室外側中枠が戸先側縦枠と戸尻側縦枠間に設けられ、戸尻側縦枠と室内側中枠間を室内戸袋側、戸尻側縦枠と室外側中枠間を室外戸袋側となし、戸先側縦枠と室内側中枠間を室内出入口側、戸先側縦枠と室外側中枠間を室外出入口側となし、室内外戸袋側と室内外出入口側を摺動自在で、室内外出入口側を開閉自在となす引戸を室内側中枠と室外側中枠間に配設し、室内外戸袋側の表面を建物の壁面と略面一とした化粧ボードで覆ってなる引戸装置において、化粧ボードの出入り口側端部を隠蔽する中枠突部の幅寸法以上に、引戸の摺動方向で室内出入口側より室外出入口側を大きく形成すると共に、引戸の閉鎖状態で、引戸の戸尻側端部が室内側中枠の中枠突部を越えて戸尻側縦枠方向に突出し、かつ、室外側中枠の中枠突部と所定寸法重合しているものである。
【０００７】
次に本発明が題２の手段として構成したところは、上記第１の手段に加え、引戸の摺動方向で互いの摺動側両端部が重合するよう、戸先側縦枠と引戸の室内側と室内戸袋側に、鉛板が貼着されているものである。
【発明の効果】
【０００８】
請求項１に記載の発明によると、化粧ボードの出入り口側端部を隠蔽する中枠突部の幅寸法以上に、引戸の摺動方向で室内出入口側より室外出入口側を大きく形成すると共に、
引戸の閉鎖状態で戸尻側端部が室内側中枠の中枠突部を越えて戸尻側縦枠方向に突出し、かつ、室外側中枠の中枠突部と所定寸法重合しているので、引き戸の閉鎖状態で、室内戸袋側と引戸の戸尻側の端部ののみ込みしろを大きくし、室外戸袋側ののみ込みしろを極力小さくすることで、重量の重い引戸であっても、吊り込み作業を室外側から行うことにより支障なく行なえる。
又、室外戸袋側が小さく構成されているので、材料コストの削減が図れる。
さらに、室外出入口側が室内出入口側より大きく構成されているので、引戸のガイドローラーが室内戸袋側内に位置していても、室外出入口側では露呈する事になり、床面等への固定作業が容易である。
又、引戸下面に取付けられるエアータイト用部材も、室内戸袋側と大きく重合するのでエアータイトの機能がより効果的に発揮される。
【０００９】
請求項２に記載の発明によると、戸先側縦枠と、引戸と、室内戸袋側に鉛板が貼着されているので、室内側からの放射線の漏れを防止でき、中枠内に鉛板を貼着する必要がないので、鉛板の貼着作業が非常に容易である。
【発明を実施するための最良の形態】
【００１０】
本発明は、戸先側縦枠と戸尻側縦枠と上横枠より形成された門形の引戸枠が建物側の鉄骨に固定され、室内側と室外側に所定間隔を有して室内側中枠と室外側中枠が戸先側縦枠と戸尻側縦枠間に設けられ、戸尻側縦枠と室内側中枠間を室内戸袋側、戸尻側縦枠と室外側中枠間を室外戸袋側となし、戸先側縦枠と室内側中枠間を室内出入口側、戸先側縦枠と室外側中枠間を室外出入口側となし、室内外戸袋側と室内外出入口側を摺動自在で、室内外出入口側を開閉自在となす引戸を室内側中枠と室外側中枠間に配設し、室内外戸袋側の表面を建物の壁面と略面一とした化粧ボードで覆ってなる引戸装置において、化粧ボードの出入口側端部を隠蔽する中枠突部の幅寸法以上に、引戸の摺動方向で室内出入口側より室外出入口側を大きく形成すると共に、引戸の閉鎖状態で、引戸の戸尻側端部が室内側中枠の中枠突部を越えて戸尻側縦枠方向に突出し、かつ、室外側中枠の中枠突部と所定寸法重合し、引戸の摺動方向で互いの摺動側両端部が重合するよう、戸先側縦枠と引戸の室内側と室内戸袋側に、鉛板が貼着されているものである。
【実施例】
【００１１】
以下、添付図面に基づいて実施例を詳述する。
図１において、符号１は引き戸枠を示している。
引き戸枠１は、図２、図３に示すように、建物側の鉄骨１１・・・にブラケット１２・・・を介して固定された戸尻側縦枠１３および戸先側縦枠１４と、戸尻側縦枠１３と戸先側縦枠１４の上端間に配設され、建物側鉄骨１１にブラケット１２を介して固定された上横枠１５より門形に形成されている。
【００１２】
図３において、符号２はレール取付材を示している。
レール取付材２は、戸尻側縦枠１３と戸先側縦枠１４の内面に突出して設けられたＬ字形の固定用突片１３８、１３８に固定用ボルト２１２、２１２を介して、高さ調節可能に、戸尻側縦枠１３と戸先側縦枠１４の上部間に配設され、室内側に引き戸レール５が着脱自在に連結される。
符号６は、引き戸レール５に吊り下げられた引戸を示し、符号３、３０は、戸尻側縦枠１３と戸先側縦枠１４間で、上端が上枠１５の室内側と室外側の両面に固定され、下端部が床面に埋め込まれ、室内側と室外側に所定間隔を有して配設された室内側中枠と室外側中枠示している。
以下、戸尻側縦枠１３と室内側中枠３間を室内戸袋側、戸尻側縦枠１３と室外側中枠３０間を室外戸袋側、戸先側縦枠１４と室内側中枠３間を室内出入口側、戸先側縦枠１４と室外側中枠３０間を室外出入口側と云う。
【００１３】
図４において、符号１６はベース材を示し、ベース材１６は、室内外戸袋側の床面全幅にわたって固定され、室外出入口側で突出した端部上面に、ガイドローラー１７を回転自在に設けたガイドローラー取付部材１６４が室外側中枠３０より室外出入口側に突出して取付けられている。
図４において、符号４・・・は、戸袋側の室内側及び室外側の両面上下方向に配設された下地パネルを示している。
図３において符号１８・・・は、レール取付材２の室内出入口側に取付られるランマ下地パネルを示し、符号１９はレール取付材２の室外出入口側に着脱自在に取付られたメンテナンスパネルを示している。
【００１４】
そして、上記引き戸枠１、ベース材１６、室内外中枠３、３０、下地パネル４・・・、ランマ下地パネル１８、メンテナンスパネル１９、引き戸レール５が取付られたレール取付材２は、内装仕上げ（化粧パネル等の張り付け）が行われるまでに施工され、内装仕上げが終了した後、メンテナンスパネル１９を取り外して、引戸６が引き戸レール５に吊り込まれ、引戸６の閉鎖スピードの調整、床面及び戸先側縦枠１４との隙間調節が行われる。
【００１５】
以下、各部材について詳述する。
戸尻側縦枠１３は、図２、図５に示す如く、戸袋側面１３１と室内側面１３２と室外側面１３３より横断面略コ字形に形成され、建物側鉄骨１１側の上下方向に所定間隔を有して設けられた固定用部材１３４・・・が、建物用鉄骨１１の戸袋側面に突出して固着されたブラッケット１２・・・に溶接され、下端部は床面仕上げ時に床面に埋め込まれて立設されている。
そして、戸袋側面１３１の戸袋側に引戸６が開放された時、引戸６の戸尻側端面が当接する緩衝部材１３５が取付られている。
【００１６】
戸先側縦枠１４は、図２、図６に示す如く、建物側鉄骨１１側の上下方向に所定間隔を有して固定用部材１４１・・・が設けられ、出入口側方向で室内側に突出して室内側の化粧ボード１００の出入り口側端面を隠蔽する室内側ボード閉塞部１４６を有する室内側基枠１４５と、出入り口側方向で室外側に突出して室外側の化粧ボード１００の出入り口側端面を隠蔽する室外側ボード閉塞部１４７を有する室外側基枠１４８より構成され、室外側基枠１４８と室内側基枠１４５の出入り口側の突合せ部分は、所定寸法離間させて上下方向全幅に渡って戸当たり凹部１４９を形成し、戸当たり凹部１４９の出入り口端面には緩衝部材（戸当たり受け材）が貼着されている。
そして、上記の如く構成された戸先側縦枠１４が放射線室の引戸装置の一部として使用されるときは、図６に符号Ａとして示すように室内側基枠１４５の内面に鉛板を貼着して使用される。
【００１７】
上横枠１５は、図３に示す如く、建物用鉄骨１１側で、引戸６の開閉方向に所定間隔を有して固定部材１５１・・・が設けられた断面上向き略コ字形をなし、該固定部材１５１・・・が建物用鉄骨１１の下面の下方に突出して固着されたブラッケト１２・・・に溶接固定されている。
そして、上横枠１５の開閉方向両端部に取付られた逆Ｌ字形の連結金具１５２、１５２と戸尻側縦枠１３、戸先側縦枠１４の上端部がねじ止めされ、引き戸枠１が構成される。
【００１８】
ベース材１６は、図３、図４、図７に示す如く、戸袋側の床面全幅に位置する固定面１６１と、固定面１６１の室内側および室外側の端部に形成された立ち上がり面１６２、１６２より断面上向きコ字形に形成され、室内側中枠３０より出入り口側に位置する室外側の立ち上がり面１６２と固定面１６１は所定寸法切りかかれ外部に露出しないよう配慮されている。そして、ベース材１６には、前記切りかかれた部分で、引戸６の下端面に形成された嵌合溝６０内に嵌合するガイドローラー１７を上面で回転自在に保持するガイドローラー取付部材１６４が固定面１６１の出入り口側端部に取付けられている。
そして、ガイドローラー取付部材１６４の戸尻側縦枠１３側の端部側はアンカーボルトにてベース材１６と共に床面に固定され、固立ち上がり面１６２、１６２の出入り口側端部は室内側中枠３、室外側中枠３０の内面と連結される。
【００１９】
レール取付材２は、図３、図４、図８に示す如く、固定用枠２１と、該固定用枠２１の室外側の下方に設けられたレール取付枠２２より構成されており、室外側下方隅部が開口し、メンテナンスパネル１９を外した状態で、引き戸レール５が水平状態に着脱自在にとりつけられる。
すなわち、固定用枠２１の上面部２１１の引戸開閉方向端部には、上方に突出する固定用ボルト２１２が設けられている。
そして、戸尻側縦枠１３の戸袋側上端部と、戸先側縦枠１４の出入り口側上端部に突出して設けられた逆Ｌ字形の固定用突片１３８、１３８の挿通孔に固定用ボルト２１２、２１２を下方より挿通し、固定用突片１３８、１３８と上面部２１１間に複数枚のライナー２１３・・・を選択して介在せしめて、固定用突片１３８、１３８の上方で固定用ナット２１４、２１４を螺合せしめて水平状態を調節して固定される。
【００２０】
符号２１５は、戸先側縦枠１４と室外側中枠３０の間で、上枠１５の室外側面に設けられたメンテナンスパネル１９の上部支持部材を示し、符号２１９は戸先側縦枠１４と室外側中枠３０の出入り口側面の上部に設けられたメンテナンスパネル１９の下部支持部材を示し、下部支持部材２１９にはメンテナンスパネル１９の取付用螺孔が形成されている。
【００２１】
レール取付枠２２は、固定用枠２１の室内側面部２００の下端部の折り曲げ部２２０に下端部が固着されるＬ字形の引き戸レール取付面２２１と、引き戸レール取付面２２１の上端から室内側に延出され、固定用枠２１の室内側面部２１０の内面に固着される上部固定面２２２より、室内側の下方に開閉方向全幅に渡って開口する引き戸レール取付用開口２０を有している。
【００２２】
そして、引き戸レール取付面２２１の戸袋側には、図９に示す如く、引戸６の開閉方向に所定間隔を有して引き戸レール５の取付用係合孔２２３・・・が複数個形成され、引戸レール取付面２２１の出入り口側には、引戸６の開閉方向に所定間隔を有して引き戸レール５の固定用螺孔２２４が複数個形成されている。
【００２３】
引き戸レール５は、図９、図１０に示すように、スライド装置７と、アルミの押出材より形成された、スライド装置７の補強材５１と、補強材５１を保持する保持部材５２が一体に連結されて構成されている。そして、その開閉方向の長さは、レール取付材２に着脱自在に取付られるよう、レール取付材２より所定寸法短く形成されている。
【００２４】
すなわち、引き戸レール５の保持部材５２の出入口側端部には室内側に突出する操作突片５２１が形成され、戸袋側には、引戸６の開閉方向に所定間隔を有して、前記固定枠２１の取付用係合孔２２３・・・に出入口側から係合する係合爪５２２・・・が形成され、引き戸レール５の出入り口側には、固定用螺孔２２４・・・に対応する連結孔５２３・・・が形成されている。
【００２５】
そして、引き戸レール５の点検補修の為取り外された引戸レール５をレール取付材２に連結する時は、メンテナンスパネル１９が取り外された状態で、引戸レール５を出入口側下方の室外側斜め方向から、戸袋側端部を上方に向けて差入れ、引戸レール取付用開口２０内に位置せしめたのち、係合爪５２２・・・を取付用係合孔２２３・・・内に位置させ、引戸６の開放方向にハンマー等にて操作突片５２１を打撃して、引戸レール５を引戸６の開放方向にスライドさせて、係合爪５２２・・・を取付用係合孔２２３・・・に係合せしめると、固定用螺孔２２４・・・と連結孔５２３・・・は一致し、連結ネジ５０にて、引き戸レール５はレール取付材２に連結される。
【００２６】
一方、レール装置７の破損等によって、レール取付材２から引き戸レール５を取り外す場合は、上記操作とは逆に、連結ネジ５０を取り外した後、引戸６の閉鎖方向にハンマー等にて操作突片５２１を打撃して、引き戸レール５を引戸６の閉鎖方向にスライドさせて、係合爪５２２・・・と取付用係合孔２２３・・・の係合状態を解除して取り外す。
【００２７】
スライド装置７は、図１０に示す如く、補強材５１の室外側に保持される断面略Ｃ字形のアウターメンバー７１と、アウターメンバー７１にボールリテーナー７２に保持された複数個のボール７３・・・を介してスライド自在に保持される断面略Ｃ字形のインナーメンバー７４より構成されており、保持部材５２と補強材５１とアウターメンバー７１は開閉方向全幅に渡って配設され、インナーメンバー７４は引戸６の開閉方向の幅よりやや小さ目に形成され、ボールリテーナー７２はインナーメンバー７４より２倍強の幅に形成されている。
符号７５はインナーメンバー７４の室内側に固着された吊り金具を示している。
【００２８】
室内側中枠３は、図５に示す如く、内面側に位置する補強枠３１と、補強枠３１の出入り口側の端部に形成されて室内側に突出し、戸袋側の化粧パネル１００の出入口側端部を隠蔽する中枠突部３２と、補強枠３１の室内側の表面に設けられ、戸尻側縦枠１３側の端部に下地パネル４の出入り口側の端部が嵌入する嵌入突片３４１を有する表面板３４より形成され、上端部が上枠１５の室内側面に連結され、下端部がベース材１６と連結され、床面仕上げ時に床面に下端が埋め込まれて立設される。
【００２９】
室外側中枠３０は、図５に示す如く、内面側に位置する補強枠３０１と、補強枠３０１の出入り口側の端部に形成されて室外側に突出し、戸袋側の化粧パネル１００の出入口側端部を隠蔽する中枠突部３０２と、補強枠３０１の室外側の表面に設けられ、戸尻側縦枠１３側の端部に下地パネル４の出入り口側の端部が嵌入する嵌入突片３０３を有する表面板３０４より形成され、上端部が上枠１５の室外側面に連結され、下端部がベース材１６と連結され、床面仕上げ時に床面に下端が埋め込まれて立設される。室外側中枠３０は、室内側中枠３と対向した同形に形成されているが、設置位置は、室内側中枠３よりも中枠突部３２の開閉方向の幅寸法以上、戸尻側縦枠１３側に位置して設けられている。（実施例では、室内側中枠３の中枠突部３２の幅寸法は２５ミリメートルで室外側中枠３０は５０ミリメートル、戸尻側縦枠１３側に位置している。したがって、戸先側縦枠１４と室内側中枠３間の室内出入口側の有効開口は１３２０ミリメートルで、戸先側縦枠１４と室外側中枠３０間の室外出入口側の有効開口は１３７０ミリメートルに設定されている。）
【００３０】
下地パネル４・・・は、図４、図５、図７に示す如く、室内側及び室外側でそれぞれ上下方向に複数枚に分割され（実施例では上下方向で３分割され）、前述したように、室外側中枠３０の取付位置の関係から、室外側の点検パネル４の幅方向（引戸６の摺動方向）の寸法が、室内側の寸法より小さく形成されているが、それぞれの外形形状はほぼ同一に形成されているので、室内側、室外側とも同一のものとして説明する。
下地パネル４は、内方にＬ字形に折り曲げられた位置決め突片４１と、位置決め突片４１と所定間隔をもって内側下方に突出する下向き係止突片４２よりなる嵌入間隙４３を表面板４０の下端部に有し、内方にＬ字形に突出する上向き係止突片４４を表面板４０の上端部に有し、横向きＬ字形に折り曲げて形成された端部連結突片４５を表面板４０の戸尻側縦枠１３側の端部に有し、内方にＬ字形に折り曲げられた位置決め側方突片４６と、位置決め側方突片４６と所定間隔をもって内側側方に突出する横向き係止突片４７よりなる横向き嵌入間隙４８を表面板４０の中枠３、３０側端部に有し、表面板部４０の内面に石膏ボード（図示せず。）が貼り付けられている。
【００３１】
下地パネル４は上記の如く形成され、出入口側の端部は、室内側中枠３、室外側中枠３０の嵌入突片３４１、３０４を下地パネル４・・・の横向き嵌入間隙４８・・・に嵌入させて、下端部は、嵌入間隙４３・・・をベース材１６の立ち上がり面１６２の上方に位置させ、下地パネル４を押し下げて嵌入間隙４３・・・に立ち上がり面１６２を嵌入させ、戸尻側端部は、連結突片４５・・・を戸尻側縦枠１３の室内側面１３２と室外側面１３３にネジ止めする。
次に、ベース材１６に取付られた下地パネル４の上方に位置する別の下地パネル４・・・については、出入口側は、室内側中枠３、室外側中枠３０の嵌入突片３４１、３０４を下地パネル４・・・の横向き嵌入間隙４８・・・に嵌入させて、下端部は、嵌入間隙４３・・・を下方に位置する別の下地パネル４・・・の上向き係止突片４４・・・上方に位置させて、下地パネル４を押し下げて嵌入間隙４３・・・に上向き係止突片４４・・・を嵌入し、端部連結突片４５・・・を戸尻側縦枠１３の室内側面１３２と室外側面１３３にネジ止めする。
次に最上段の下地パネルを同様にして取付けた後、上向き係止突片４４・・・を上枠１５の室内側と室外側の面にネジ止めする。
【００３２】
ランマ下地パネル１８は、図３、図８に示す如く、室内側表面板１８１の上端が上枠１５の室内側面にネジ止めされ、室内側表面板１８１の下端部で室内側に突出して形成されたランマ下地突部１８０で、化粧ボード１００の下端部端面を隠蔽し、室内側表面板１８１の開閉方向の両端部が、室内側の中枠３の上端部と、戸先側縦枠１４の室内側の上端部にネジ止めされている。
【００３３】
引戸６は、図３、図６、図８に示す如くパネル形状をなし、下端面の開閉方向に前記ガイドローラー１７が嵌合する嵌合溝６０が形成され、上端面の開閉方向に所定間隔を有して吊り下げ用連結螺孔６１・・・が形成され、室外側上端部の開閉方向に所定間隔を有して吊り下げ固定用螺孔６２・・・が形成され、上端部に隙間調節用部材８が外嵌し、引戸レール５に吊り下げられた状態で、室内側表面板１８１と所定の重なり代が生じるよう、ランマ下地パネル１８のランマ下地突部１８０の上方に上端部が位置している。
そして、引戸６の戸先側端面には、引戸の閉鎖状態で前記戸当たり凹部１４９内に位置し、戸先側端面が緩衝部材（戸当たり受け材）に密着する戸当たり６００が、戸先側縦枠１４方向に突出して設けられている。
符号３００は、引戸６の戸先側端部で、室内側、室外側に設けられた取手を示している。
【００３４】
隙間調節用部材８は、図８、図１１に示すように、吊り下げ面８１と、吊り下げ面８１の室内側および室外側に形成された室内側挟持片８２および室外側挟持片８３より断面下向き略コ字形に形成され、吊り下げ面８１には前記インナーメンバー７４の吊り金具７５に取付ピン８００を介して、室内側および室外側方向に回動自在に吊り下げられる吊り受け金具８２０が上方に突出して設けられると共に、引戸６の前記吊り下げ用連結螺孔６１・・・に対応して、挿通孔８３０・・・が形成され、固定用ボルト８０・・・が、吊り下げ面８１の上方から挿通孔８３０・・・を挿通して吊り下げ用連結螺孔６１・・・に螺合している。
又、室外側挟持片８３には、前記吊り下げ固定用螺孔６２・・・に対応して、上下方向の長孔８４・・・が形成され、長孔８４・・・を挿通して固定ネジ８４０・・・が吊り下げ固定用螺孔６２・・・に螺合している。
【００３５】
そして、引戸６の戸尻側の端部上面にゼンマイ式の自閉装置が埋設され、ゼンマイ式の自閉装置のワイヤーの一端が、室内側中枠３の出入口側で、レール取付材２側に設けられた固定座に固定されている。
又、引戸６の上端の室内側で戸先側端部に全開ストッパー用ローラーが設けられ、全開ストッパー用ローラーに対応して、室内側中枠３の上端に板バネからなる全開ストッパーが取付けられ、レール取付材２と吊り金具７５間に自閉時のブレーキ装置等が構成されている。（自閉装置、固定座、全開ストッパー、全開ストッパー用ローラー、ブレーキ装置等は周知技術であるので図示せず。）
【００３６】
メンテネンスパネル１９は、図３、図８に示すように、上部支持部材２１５の内面側の下方に突出して取付けられた下向き支持突片２１７と上部支持部材２１５の下端部間に形成された取付用間隙に下方から嵌入する嵌入上向き突片１９１を上端部に有し、室内側に略Ｌ字形に折り曲げられ下部支持部材２１９の下方に位置し、下方から下部支持部材２１９にネジ止めされる下部折り曲げ縁１９２を下端部に有している。
【００３７】
上記の如く構成された各部材のうち、引き戸枠１、ベース材１６（ガイドローラー１７を含む。）、室内側中枠３、室外側中枠３０、下地パネル４・・・、ランマ下地パネル１８、引き戸レール５が取付けられたレール取付材２、メンテナンスパネル１９が、内装仕上げが行われる前に施工され、化粧ボード１００等が取付けられ、床面等が仕上げられた後、引戸６等が組み込まれる。
すなわち、上端面に隙間調節用部材８が、固定用ボルト８０・・・、固定ネジ８４０・・・にて仮固定された引戸は、メンテナンスパネル１９が取り外された状態で、室外出入口側から斜め方向に差し込まれ、嵌合溝６０の戸尻側端部にガイドローラー１７を嵌合させた状態で持ち上げ、スライド装置７に設けられた吊り金具７５に、吊り受け金具８２０を一致せしめて、取付ピン８００を嵌入させ、レール取付材２に対し開閉方向に摺動自在に吊り下げられる。
【００３８】
この時、室内出入口側に比べ室外出入口側は幅寸法（引戸の摺動方向の開口寸法）が大きく形成されており、室外出入口側ではガイドローラー１７は露見した位置にあるので、ガイドローラー１７の床面への取付作業画用であり、ガイドローラー１７が確実に視認できるので、嵌合溝６０への嵌合作業も簡単である。
特に、引戸６が鉛板を貼着する等した特殊仕様で高重量となった時は、引戸６の吊り込み作業の初期段階が容易となることは、全体の作業の能率向上に大きな影響を与える。
【００３９】
そして、レール取付材２は施工段階でレベル調整され水平状態で固定されているが、戸先側縦枠１４は建物側の鉄骨１１にブラッケット１２を介して溶接にて固定されているので、必ずしも鉛直に立設されているわけではない。
従って、引戸６の戸先側に設けられた戸当たり６００と、戸先側縦枠１４に設けられた緩衝部材（戸当たり受け材）が、引戸６の閉鎖時に、上下方向に渡って密着するわけではなく、上下端部のいずれかに隙間が発生し、非常に見苦しいものとなりがちである。
【００４０】
よって、引戸６の上端面に外嵌する隙間調節用部材８の固定用ボルト８０・・・と吊り下げ用連結螺孔６１・・・の螺合状態を調節すると、引戸６は、隙間調節用部材８に対し開閉方向で、緩衝部材（戸当たり受け材）と戸当たり６００が上下方向で密着するよう傾斜自在に調節される。
そして、吊り下げ固定用螺孔６２・・・に室内側挟持片８２の室内側から固定ネジ８４０・・・を長孔８４・・・を挿通して螺合し、室内側挟持片８２と引戸６を固定する。
次に、自閉装置ワイヤーの一端を、固定座に連結し、全開ストッパー用ローラー、全開ストッパー、自閉時のブレーキ装置を取付た後、メンテナンスパネル１９を取付、隙間調節用部材８と引戸６の上端部及びレール取付材２等を隠蔽する。
【００４１】
次に、本発明が放射線を使用する部屋の引戸装置として使用される場合は、室内側の内面と戸当たり６００の内面に鉛板Ａが貼着された引戸６、室内側基枠１４５の内面に鉛板Ａが貼着された戸先側縦枠１４、ランマ下地突部１８０の内面に鉛板Ａが貼着されたランマ下地パネル１８を使用し、引き戸枠１、ベース材１６（ガイドローラー１７を含む。）、室内側中枠３、室外側中枠３０、下地パネル４・・・、ランマ下地パネル１８、引戸レール５が取付られたレール取付材２、メンテナンスパネル１９を組上げ、化粧ボード１００で仕上げる前に、室内側の下地パネル４・・・と室内側中枠３の表面板３４（室内戸袋側）、ランマ下地パネル１８の上部（室内出入口側の上部、）その他、化粧ボードが貼り付けられる個所の室内側の表面に鉛板Ａを貼り付けたのち、化粧ボード１００を貼り付けて壁面の仕上げ工事を行う。その後、室内側の面の内面に鉛板Ａを貼着した引戸６の吊り込み作業を行う。
上記の場合、化粧ボード１００の出入口側端部を隠蔽する中枠突部３２の幅寸法以上に、引戸６の摺動方向で室内出入口側より室外出入口側を大きく形成すると共に、引戸６の閉鎖状態で、引戸６の戸尻側端部が室内側中枠３の中枠突部３２を越えて戸尻側縦枠方向１３に突出し、かつ、室外側中枠３０の中枠突部３０２と所定寸法重合しているので、引戸６と、戸先側縦枠１４と、ランマ下地パネル１８のランマ下地突部１８０にのみ予め鉛板Ａを貼着しておけば、他の部分は現場施工時に室内側に鉛板を貼着することで十分に対応でき、特に複雑な構造の室内側中枠３の内部に鉛板の貼着を必要としないのでコスト削減がはかれる。
又、現場施工時の鉛板の貼着作業も、平面的な個所での貼着作業であるので作業性も向上する。
【図面の簡単な説明】
【００４２】
【図１】本発明の引き戸の室外側からの正面図
【図２】本発明の要部横断面図
【図３】本発明の出入口側部分での要部縦断面図
【図４】本発明の戸袋側部分での要部縦断面図
【図５】室内側中枠部分での要部拡大横断面図
【図６】戸先側縦枠部分での要部拡大横断面図
【図７】下地パネル部分での要部拡大縦断面図
【図８】レール取付材部分での要部拡大縦断面図
【図９】レール取付材と引き戸レールの取付状態を示す拡大横断面図
【図１０】スライド装置の拡大縦断面図
【図１１】引戸の吊り込み状態を示す正面略図
【符号の説明】
【００４３】
１        引き戸枠
１１      鉄骨
１３      戸尻側縦枠
１４      戸先側縦枠
１５      上横枠
１００    化粧ボード
３        室内側中枠
３２      中枠突部
３０      室外側中枠  
４        下地パネル
５        引き戸レール
６        引戸
【図１】
2007297850.tif 000003
【図２】
2007297850.tif 000004
【図３】
2007297850.tif 000005
【図４】
2007297850.tif 000006
【図５】
2007297850.tif 000007
【図６】
2007297850.tif 000008
【図７】
2007297850.tif 000009
【図８】
2007297850.tif 000010
【図９】
2007297850.tif 000011
【図１０】
2007297850.tif 000012
【図１１】
2007297850.tif 000013